(57)【要約】【課題】遊技機の基板ケースの開閉式の台座において、開閉機構の軸を構成する部分と台座部分とを別部品で構成し、各部品の連結を容易に行い得るようにすること。【解決手段】軸を備え、一端側が遊技盤の裏面側に固定され、他端側がその軸を基点にして回動するように構成された開閉機構と、基板ケースと、前記開閉機構と前記基板ケースとにそれぞれ連結される連結台座部材と、前記基板ケースの第１連結封止部と、前記連結台座部材の第２連結封止部と、前記開閉機構の第１係合部と、前記連結台座部材の第２係合部と、前記第１係合部を挿入して前記第２係合部に係合させるために前記連結台座部材に形成された挿入部、とを備え、前記第１係合部と前記第２係合部との係合において、前記開閉機構の第１係合部が前記挿入部に挿入されて前記第２係合部と係合されたあとにその挿入方向とは逆の抜き出す方向への移動を規制する規制機構が設けられている遊技機。【選択図】      図１０
2008067861.tif 000002
【特許請求の範囲】
【請求項１】
遊技球が流下する遊技領域を前面側に形成してある遊技盤を備えた遊技機であって、
軸を備え、一端側が遊技盤の裏面側に固定され、他端側がその軸を基点にして回動するように構成された開閉機構と、
第１封止部を備える第１ケースと第２封止部を備える第２ケースを有し、内部に遊技を制御する制御基板を収容する基板ケースと、
前記開閉機構と前記基板ケースとにそれぞれ連結される連結台座部材と、
前記基板ケースのうち、前記連結台座部材と連結封止される部位である第１連結封止部と、
前記連結台座部材のうち、前記基板ケースの前記第１連結封止部と連結封止される部位である第２連結封止部と、
前記開閉機構のうちの前記他端側に設けられ、前記連結台座部材と係合する部位である第１係合部と、
前記連結台座部材の内部に設けられ、前記開閉機構の前記第１係合部と係合する部位である第２係合部と、
前記第１係合部を挿入して前記第２係合部に係合させるために前記連結台座部材に形成された挿入部、とを備え、
前記第１係合部と前記第２係合部との係合において、前記開閉機構の第１係合部が前記挿入部に挿入されて前記第２係合部と係合されたあとにその挿入方向とは逆の抜き出す方向への移動を規制する規制機構が設けられていることを特徴とするとする遊技機。
【発明の詳細な説明】
【技術分野】
【０００１】
本発明は、パチンコ機やスロットマシンに代表される遊技機に関するものである。
【背景技術】
【０００２】
遊技機において、基板ケースを取り付ける台座が開閉するようにした遊技機がある。このような遊技機では、例えば、軸ピンを台座に対して一体成型し、軸受孔を技集合板に一体成型して、遊技機の製造工場において軸ピンを軸受孔に挿入する連結作業を行っていた。
【０００３】
近年、軸受孔から軸ピンを外すだけの操作により台座に取り付けられた状態の基板ケースが遊技球から容易に取り外され、予め用意した偽造品（不正基板入り）を代わりに取り付けることによって不正遊技を可能にする不正行為が行われることがある。
【０００４】
このような構成の遊技機については、例えば、次の文献を挙げることができる。
【特許文献１】特開２００４−０３３６０３。
【発明の開示】
【発明が解決しようとする課題】
【０００５】
上述した従来技術における軸ピン、軸受孔の連結部分は、開閉動作を円滑に行えるような設計がされているため、これらを連結する作業が、遊技機製造時において手間がかかる工程となっている。
【０００６】
また、開閉部分に対して不正対策をしようとすると、それ以上に製造工程が高度化、多工程化することも考えられるため、この開閉部分に対しては、そのような不正対策が行い難い。
【０００７】
本発明は、かかる問題点に鑑みて案出されたものであり、遊技機の基板ケースの開閉式の台座において、開閉機構の軸を構成する部分と台座部分とを別部品で構成し、各部品の連結を容易に行い得るようにすることを目的とする。
【課題を解決するための手段】
【０００８】
本発明において、次の語彙を明らかにしておく。
本発明において、連結封止とは、痕跡を残すことなく基板ケース、連結台座部材の連結を解除できない状態とすることを意味する。
開閉機構とは、遊技盤側と連結台座部材とを枢支連結するヒンジ機能を有するものである。
連結台座部材とは、基板ケースを搭載し、固定して、これを遊技盤側に取り付けるための部材である。
第１連結封止部とは、基板ケースに設けられて、連結台座部材と連結封止されるもので、少なくとも１個あればよい。
第２連結封止部とは、連結台座部材に設けられ、基板ケースの第１連結封止部と連結されるもので、少なくとも１個あればよい。
第１係合部とは、開閉機構に存し、連結台座部材と係合する部位を言い、実施例では平板状体であるが、その形状を限定されるものではない。
第２係合部とは、連結台座部材の内部に設けられ、開閉機構の第１係合部と係合する部位で、実施例では、薄い鋼板で構成されているが、その素材、形状を限定するものではない。
第１被覆部材とは、実施例で連結台座部材の一部として一体成型の説明をしているが、これが、連結台座部材と別体で構成されてもよい。
第２被覆部材とは、第１被覆部材に対する組み合わせを前提とした別体構成とされているが、これが連結台座部材と一体構成とされてもよい。
【０００９】
本発明にかかる遊技機は、上記目的を達成するために、手段１として、
遊技機であって、
遊技球が流下する遊技領域を前面側に形成してある遊技盤と、
軸を備え、一端側が遊技盤の裏面側に固定され、他端側がその軸を基点にして回動するように構成された開閉機構と、
第１封止部を備える第１ケースと第２封止部を備える第２ケースを有し、内部に遊技を制御する制御基板を収容する基板ケースと、
前記開閉機構と前記基板ケースとにそれぞれ連結される連結台座部材と、
前記基板ケースのうち、前記連結台座部材と連結封止される部位である第１連結封止部と、
前記連結台座部材のうち、前記基板ケースの前記第１連結封止部と連結封止される部位である第２連結封止部と、
前記開閉機構のうちの前記他端側に設けられ、前記連結台座部材と係合する部位である第１係合部と、
前記連結台座部材の内部に設けられ、前記開閉機構の前記第１係合部と係合する部位である第２係合部と、
前記第１係合部を挿入して前記第２係合部に係合させるために前記連結台座部材に形成された挿入部、とを備え、
前記第１係合部と前記第２係合部との係合において、前記開閉機構の第１係合部が前記挿入部に挿入されて前記第２係合部と係合されたあとにその挿入方向とは逆の抜き出す方向への移動を規制する規制機構が設けられていることを特徴とする。
【００１０】
このように構成することで、遊技機に取り付けられた基板ケースが遊技盤の裏面に対して開閉することにより、遊技盤裏面の設置物に対しての検査、メンテナンスが容易となる。
そして、封止部により封止されることにより、制御基板に対して不正な改変を行ったり、不正品に交換されることを防止できる。
また、連結封止部により連結封止することによって、基板ケースを不正品に交換されることを防止できる。
更に、連結台座部材に対して開閉機構を簡単な操作により装着できるので、作業性が向上する。
そして、第１係合部と第２係合部とを一度係合させるとその解除が規制機構によって規制され、係合部分は被覆されているので、連結状態の基板ケース、開閉機構ごと不正に持ち去ることを防止できるのである。
【００１１】
手段２：手段１の遊技機において、
前記第２係合部を被覆するべく前記連結台座部材に備えられた第１被覆部材と第２被覆部材であって、第１被覆部材が前記連結台座部材に一体形成され、第２被覆部材が前記連結台座部材に組み合わせるよう別体構成とされ、且つ、その少なくとも一方に凹面が形成され、他方に対向するよう組み合わせることで前記第１係合部を挿入するための前記挿入部を形成していることを特徴とする。
このように、第１被覆部材が前記連結台座部材に一体形成されるのに対し、第２被覆部材が前記連結台座部材に組み合わせるよう別体構成とされることで、第２係合部を被覆することを行い得ながら、第２係合部を第２被覆部材に備えておいて、これを後に組み合わせるという作業で、この第２係合部を前記連結台座部材の内部に備えることができる。
そして、連結状態の基板ケース、連結台座部材の隙間から不正器具を侵入させ、第１、第２係合部の係合を不正に解除する不正行為を防止できる。
【００１２】
手段３：手段２の遊技機において、
前記第２被覆部材は、前記第１被覆部材よりも小さく構成され、前記連結台座部材と前記基板ケースとが連結した状態においては、前記第２被覆部材の取り外し方向側に前記基板ケースが位置された状態となり、前記基板ケースと前記第１被覆部材とにより被覆された状態となるように構成されていることを特徴とする。
このように、前記連結台座部材と前記基板ケースとが連結した状態においては、第２被覆部材が前記基板ケースの側に位置して、前記第１被覆部材とで挟まれた状態となって第２係合部の被覆が行われ、その被覆が容易に外れない。
また、第２被覆部材を第１被覆部材より小さくした場合には、第１、第２被覆部材間の隙間が内部に位置するため、より一層不正器具を侵入させづらくすることができる。
【００１３】
手段４：手段２又は手段３の遊技機において、
前記連結台座部材は、前記基板ケースよりも小さく構成され、前記基板ケースのうち、基板裏面側で一端側に寄せて連結されるように構成されていることを特徴とする。
このように、連結台座部材は、前記基板ケースよりも小さく構成され、前記基板ケースのうち、基板裏面側で一端側に寄せて連結される構成であるので、従来のような基板ケースと同等の大型の台座を必要とすることがない状態で、その基板ケースの開閉を行い得る。
【００１４】
手段５：手段２乃至手段４の遊技機において、
前記第１及び第２被覆部材を透明樹脂により成型し、これらに被覆される第２係合部を金属製の係合部材により構成してあることを特徴とする。
このように、前記第１及び第２被覆部材を透明樹脂により成型し、これらに被覆される第２係合部を金属製の係合部材により構成してあることで、第１係合部と第２係合部の係合状態が確実におこなわれているかどうか外部から視認でき、また、強固な係合がされていることが視認されることで、安易な取り外しが行われないようにすることができる。
【００１５】
手段６：手段５の遊技機において、
前記第２係合部を平板状体で構成すると共に該平板状体に切り欠き係合部を形成し、且つ、前記第２係合部を前記第１係合部よりも肉薄の板金により構成し、その所定箇所をコの字に打ち抜いて舌片を形成し、該舌片をコの字の付け根部で曲げることで弾性係合爪を形成し、前記挿入部への前記第１係合部の挿入によって前記切り欠き係合部と前記弾性係合爪とが係合するように構成してあることを特徴とする。
このように、前記第２係合部を板金で構成してその一部を変形させることで第１係合部に対する係合を行う構成であるので、極めて構造が簡単であり、同時に、係合状態の解除が容易に行われない利点がある。
そして、肉薄である第２係合部のほうに前記弾性係合爪を形成するので、第１、第２係合部がともに金属により形成される場合であっても、切り欠き係合部、弾性係合爪の組み合わせを比較的容易に作成することができる。
また、板金に対して形成した舌片を曲げて弾性係合爪として構成する場合、不正行為として、連結台座部材の挿入部から不正器具を侵入させ、弾性係合爪（曲げ状態）を曲がっていない状態まで復帰させて、不正に第１係合部を抜き出すといった行為がされることが考えられる。しかし、第２係合部を薄肉な板金とすることにより、この板金の表面側、裏面側の各空間の位置が近くなり、不正器具を表面側に侵入させようとしても失敗して裏面側に導かれてしまうことが多くなるので、不正操作がしづらくなるという効果もある。
【００１６】
手段７：手段２乃至手段６の遊技機において、
前記挿入部は、その入口が、入口側から内部に向かって幅狭となるようにテーパ状に形成され、且つ、挿入方向に沿って案内リブが形成されていることを特徴とする。
このように、挿入部の入口をテーパ状として、且つ、案内リブを設けることで、第１係合部の挿入を容易にすることができると共に内部への侵入がガイドされてスムースに行い得る。
【００１７】
手段８：手段２乃至手段７の遊技機において、
前記第１封止部と第２封止部の位置する側に前記第１連結封止部及び第２連結封止部が配置され、且つ、前記基板ケースの背面視（正面）において、前記第１、及び第２連結封止部が見えるように前記第１、及び第２封止部と平面位相をずらせて配置されていることを特徴とする。
このように、前記第１封止部と第２封止部の位置する側に前記第１連結封止部及び第２連結封止部が配置されるものの、前記第１、及び第２連結封止部が見えるように前記第１、及び第２封止部と平面位相をずらせて配置されていることで、前記第１、及び第２連結封止部が前記基板ケースの背面視（正面）において、視認可能となり、前記第１、及び第２連結封止部が不正に解除されているかどうか容易に分かるようになっている。
【００１８】
手段９：手段２乃至手段８の遊技機において、
前記基板ケースの外面に、係止リブが突出するように備えられ、該係止リブに所定の方向から係合するリブ係合部が前記連結台座部材の前記係止リブに対応する位置に設けられ、且つ、前記リブ係合部が前記連結台座部材の内部にあり、該リブ係合部と係止リブの係合箇所が被覆されるように構成されていることを特徴とする。
このように、基板ケースの外面に、係止リブを突出するように設け、前記連結台座部材を係止させて位置決めすることができ、その後の前記第１連結封止部及び第２連結封止部の連結を行い易い。
そして、リブ係合部と係止リブの係合箇所が、連結台座部材の内部にあって被覆されていることで、不正器具によるこの係合の解除が出来難く、不正取出し防止が更に困難になるという利点がある。
【００１９】
手段１０：手段２乃至手段９の遊技機において、
別体構成の前記第２被覆部材の側部にカム面を備えた係合片が突設され、前記連結台座部材に前記係合片に係合する係合部が設けられ、前記第２被覆部材を前記連結台座部材に対して押し付けることで前記カム面作用により前記係合部の素材変形を利用して両者の係合が行われるように構成されていることを特徴とする。
前記第２被覆部材を連結台座部材に取り付けるに、第２被覆部材のカム面を備えた係合片と、連結台座部材の前記係合片に係合する係合部の存在によって、第２被覆部材を連結台座部材に向けて押圧するだけで、素材の弾性変形でもって係合が行われることになり、簡単に組み付けができる。
【００２０】
手段１１：手段１の遊技機において、
前記第２係合部を、弾性を備えた板金で構成し、その所定箇所をコの字に打ち抜いて舌片を形成し、該舌片をコの字の付け根部で曲げることで弾性係合爪を形成し、且つ、前記第１係合部を金属製の平板状体で構成し、該平板状体に前記舌片に係合する切り欠き係合部を形成して前記係合爪の係合を可能にし、更に、前記挿入部の内部への挿入によって前記連結台座部材に係合させるように、前記第２係合部の板金の一部を変形させて構成した弾性係合片を備えてあることを特徴とする。
このように、第２係合部が、第１係合部に対する係合機能を持つだけでなく、それ自体で、連結台座部材に弾性係合させることができる構成としたことで、連結台座部材に挿入部を形成するという構成としておくだけで、個々の内部に第２係合部を設置することができる。
【００２１】
手段１２：手段１乃至手段１１の遊技機において、
前記第１、第２連結封止部が複数組備えられ、各第１、第２連結封止部はそれぞれ筒状部分を形成しており、連結封止部材としての破断ネジを前記第１、第２連結封止部の筒状部分に連通するように螺入にさせて連結封止するように構成し、前記破断ネジを螺入する側の連結封止部の筒状部分は破断ネジの頭部を覆う高さの壁を形成しており、且つ、該第１、第２連結封止部のうち少なくとも一方に切断部を備えており、該切断部を切断することで前記基板ケースを取り外せるように構成され、更に、前記連結台座部材に、破断ネジを収容する収容部を設けてあることを特徴とする。
このように、連結封止部材としての破断ネジは、頭部を覆う高さの壁の筒状部に内在することで、容易に外すことができないと共に、基板ケースを取り外す必要が生じた場合に、前記切断部を切断して取り出した後に再度別の第１、第２連結封止部を連結することになるが、この際、結台座部材の収容部の破断ネジを取り出して再び新たな第１連結封止部と第２連結封止部との封止を行うことができるので便利である。
【００２２】
手段１３：手段１乃至手段１２の遊技機において、
前記開閉機構の他端側に第３連結封止部を備え、該第３連結封止部は、前記連結台座部材の挿入部に前記開閉機構の他端側が挿入されて第１係合部が第２係合部に係合された状態で、第１連結封止部と第２連結封止部との間に位置され、これら第１乃至第３連結封止部が対応する位置にある状態で連結封止部材により連結されることにより、更に第３連結封止部によっても前記開閉機構と、前記連結台座部材及び前記基板ケースとが連結されるように構成してあることを特徴とする。
このように構成したことで、万一、第１係合部と第２係合部との係合が不正に解除されると、前記開閉機構から前記連結台座部材と前記基板ケースとが容易に取り外されることになるのを、この第３連結封止部による連結を行うことで、両者を一体化して取り外すことが出来なくなるようにすることができ、前記連結台座部材と前記基板ケースとが盗まれるのを防止できる。
【００２３】
手段１４：手段１３の遊技機において、
前記第３連結封止部が、前記開閉機構の他端側で第１係合部を構成する金属製の平板状体から延出形成された取り付け板で構成されていることを特徴とする。
このように、第３連結封止部が、金属製の平板状体から延出形成された取り付け板で構成されることで、格別の部材を設けることなく、第１係合部と兼用部材でもって構成できて、構造が簡単となり、コストもかからない。
【発明の効果】
【００２４】
本発明によれば、遊技機に取り付けられた基板ケースが遊技盤の裏面に対して開閉することにより、遊技盤裏面の設置物に対しての検査、メンテナンスが容易となり、そして、封止部により封止されることにより、制御基板に対して不正な改変を行ったり、不正品に交換されることを防止できる利点がある。
また、連結封止部により連結封止することによって、基板ケースを不正品に交換されることを防止でき、更に、連結台座部材に対して開閉機構を簡単な操作により装着できるので、作業性が向上する利点もある。
そして、第１係合部と第２係合部とを一度係合させるとその解除が規制機構によって規制され、係合部分は被覆されているので、連結状態の基板ケース、開閉機構ごと不正に持ち去ることを防止できる効果を奏する。
本発明のその他の利点は、以下の説明から明らかとなろう。
【発明を実施するための最良の形態】
【００２５】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００２６】
（パチンコ機の正面構成）
図１は本実施形態のパチンコ機１０の正面図であり、図２は、パチンコ機１０の左側面図であり、図３は、その平面図である。図４は、外枠１１に対して内枠１２と前面枠（セット）１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００２７】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００２８】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００２９】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。
音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００３０】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００３１】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２ｂ内に嵌まり込むようにして取り付けられている。
つまり、この前面枠１４の側面の少なくとも一部が内枠１２の外側壁（リブ）１２ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００３２】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００３３】
図４に示すように、内枠１２は、外形が矩形状の樹脂ベース２０を主体に構成されており、樹脂ベース２０の中央部には略円形状の窓部孔２１が形成されている。
そして、樹脂ベース２０の後側には、図４及び図５に示す遊技盤３０が着脱可能に装着されている。図５に示すように、遊技盤３０は四角形状の合板よりなり、上部一方のコーナーが肩落ちされており(後に述べる)、その周縁部が樹脂ベース２０（内枠１２）の裏側に当接した状態で取着されている。
【００３４】
従って、遊技盤３０の前面部の略中央部分が樹脂ベース２０の窓部孔２１を通じて内枠１２の前面側に露出した状態となっている（図４では遊技盤３０のアウト口３６が示されている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図５に示すように、略三角形状に角落ち（切り欠き）７２０されている。
【００３５】
次に、図５を用いて遊技盤３０の構成を説明する。図５は遊技盤３０の構成を示す正面図である。遊技盤３０の左右やや下方位置には、２組一対の一般入賞口３１、３１が階段状に位置され、中央下方には、始動口３３が配置され、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００３６】
尚、上記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００３７】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。
その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００３８】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００３９】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００４０】
内レール５１の先端部分（図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図５の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００４１】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００４２】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図５のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図７のＳ１，Ｓ２）を貼着することで、遊技盤３０と証紙との一義性を持たせることができる。
【００４３】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００４４】
前記樹脂ベースにおいて、窓部孔２１（遊技盤３０）の下方には、遊技球発射装置３８より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００４５】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００４６】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００４７】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００４８】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００４９】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００５０】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パテンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００５１】
ここで、前述した前面枠１４について、図１乃至図４を参照しつつより詳細に説明する。
前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００５２】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００５３】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００５４】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００５５】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５６】
（パチンコ機の背面構成）
図６及び図７は、パチンコ機１０の背面図と、セット板４００を一部開いた斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。
【００５７】
本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板と音声ランプ制御基板とを取付台に搭載してユニット化すると共に、払出制御基板、発射制御基板および電源基板は、セット板の第２パーツを構成する排出通路盤にユニット化している。ここでは便宜上、前者のユニットを「第１制御基板ユニット２０１」と称し、後者のユニットを「第２制御基板ユニット２０２」と称することとする。
【００５８】
第１制御基板ユニット２０１、第２制御基板ユニット２０２は、ユニット単位で何ら工具等を用いずに着脱できるよう構成されており、さらにこれに加え、一部に支軸部を設けて内枠１２または遊技盤３０の裏面に対して開閉できる構成となっている。かかる構成については後に詳述する。これは、各ユニット２０１、２０２やその他構成が前後に重ねて配置されても、隠れた構成等を容易に確認することを可能とするための工夫でもある。
【００５９】
従って、図５に示す一般入賞口３１、始動口３３に入賞した遊技球は何れも前記裏枠セットの回収通路を介して集合し、さらに排出通路盤の排出通路を介してパチンコ機１０外部に排出される。なお、アウト口３６（図５参照）も同様に排出通路に通じており、何れの入賞口にも入賞しなかった遊技球も排出通路を介してパチンコ機１０外部に排出される。
【００６０】
その他、図６に示すように、内枠１２の背面構成において、遊技盤３０の右下部には、後述する払出機構部３５２より払い出される遊技球を上皿１９、下皿１５、または排出通路の何れかに振り分けるための遊技球分配部が設けられている。
【００６１】
第１制御基板ユニット２０１は、略Ｌ字状をなす取付台を有し、この取付台に主制御装置２６１と音声ランプ制御装置とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる基板ケースに収容された構成とされる。
【００６２】
第２制御基板ユニット２０２は、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００６３】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００６４】
上記払出制御装置３１１、発射制御装置３１２、電源制御装置３１３およびカードユニット接続基板３１４は、透明樹脂材料等よりなる基板ケース３１５（この内側に位置するもう一つの基板ケース），３１６，３１８にそれぞれ収容された構成とされる。
【００６５】
図６に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００６６】
そして、図４に示す通り、前記内枠１２の外枠１１に対する枢着部７２５に近い前記遊技盤３０のコーナーが、図５に示すように、略三角形状（遊技盤の中心側は円弧状）に角落ち７２０されている。前記枢着部７２５は、図４に示すように、外枠１1に固定のブラケット７２６（上端部）（下端部は図外）に、内枠１２に固定の取り付け金具を枢着することで構成されている。
【００６７】
ここで、上述したエラー状態などの状態報知について図１及び図６に基づいて述べる。
［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図６に示すモニターＬＥＤ８１１が消灯し、状態表示８１２が「１」を点滅表示する。
【００６８】
（下受け皿満タン）
下受け皿満タンの報知は、図１に示す右コーナーＬＥＤ８１３が点灯し、図６に示すモニターＬＥＤ８１１が消灯する。そして、状態表示８１２が「２」を点滅表示する。
【００６９】
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
【００７０】
［電源に関するエラー報知］
（ヒューズ切れ１及びヒューズ切れ２）
ヒューズ切れ１は、図６に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００７１】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、図６に示すモニターＬＥＤ８１６及びモニターＬＥＤ８１７が消灯する。そして、遊技球等貸出装置通信異常は、前記状態表示８１２が「Ｕ」を点滅表示する。
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ８１８が消灯する（ただし、発射動作中は点滅する）。
尚、図６において、８１９は、遊技機電源コードを示し、８２０は、電源スイッチを示し、８２１は、外部接続アース線を示す。
【００７２】
（特徴構成）
本発明の特徴構成の説明に際しては、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなる主制御装置２６１が搭載されている第１制御基板ユニット２０１について説明する。
【００７３】
図８乃至図１６に示すように、前記第１制御基板ユニット２０１は、第１ケース７０及び第２ケース８５を含む。この実施例では、第１ケース７０が主制御装置２６１の制御基板８０を収容する容積のある方であり、第２ケース８５がその蓋体に相当する方である。
この基板ユニット２０１は、前記第１ケース７０側に設けられる第１封止部７１と、前記第２ケース側に設けられる第２封止部８６と、その第１封止部７１と第２封止部８６とを連結する封止部材８７とを有し、その封止部材８７によって前記第１封止部７１と第２封止部８６とが連結されている場合に前記制御基板８０を取り出すときには基板ユニットを破壊するか或いは所定の部位を切断することを必要とするものである。
【００７４】
前記第１ケース７０の第１封止部７１と第２ケース８５の第２封止部８６とは対を成すもので、この実施例では、個別に使用することのできる４個の封止部（封止、開封の再使用不可）から構成されており、それぞれを、封止部材８７を用いて封止するよう構成されたものであり、こうした封止構造は、公知に属するものと変わらないものであるから、ここでの詳細説明は省略する。
【００７５】
図８は、遊技球が流下する遊技領域を前面側に形成してある遊技盤３０の裏面の斜視図であり、便宜上、その上部に位置する他の構成部材を消去して、その下部に設けた第１制御基板ユニット２０１及びその近傍を図示している。図９は、第１制御基板ユニット２０１を開閉機構４１０から取り外した状態を示す。
以下の説明において、前記第１制御基板ユニット２０１を基板ケースの名称で説明をする。
【００７６】
図８、図１１及び図１４乃至図１６に基づいて、前記基板ケース２０１を遊技盤３０に対して開閉させる開閉機構４１０について説明する。
この開閉機構４１０は、第３部材としての回動連結のための軸４１１を備え、一端側、即ち、コの字形に折り曲げられた一枚の支持板（約２ｍｍ厚の鋼板）からなる第１部材としての支持体４１２が、そのコの字の底部部分で遊技盤３０の裏面側にネジで固定され、他端側は、その軸４１１を基点にして回動するように枢着された第２部材としてのブラケット４１３で構成されている。前記軸４１１は、リベット構造であり、その両端部を変形させることよって容易に抜き取り出来ないようにされている。
【００７７】
前記第１部材としての支持体４１２のコの字の底部部分にはネジ孔が設けられ、遊技盤３０の裏面と球集合板４６０（遊技盤３０の前面の入賞口に入球した遊技球を遊技盤裏面において集合させて排出する通路を形成しているもの）との間でネジ固定され、球集合板４６０の開口部４６１（又は切り欠き部）を介して遊技機の裏面側に向かう方向に突出する。そして、このブラケット４１３は、板状体で構成されて第１係合部４１４（後述の連結台座部材４３０に対する）に構成され、その第１係合部４１４には、一つのスリット状の切り欠き係合部４１５が形成されている。
【００７８】
この球集合板４６０については、その外周部の複数個所を遊技盤３０に対して固定するが、そのうちの少なくとも一つが固定解除できないように、破断ネジ等でするか、ビス留めしたあと、ビス頭部を覆うキャップを取り付けるようにする等して、球集合板４６０が遊技盤３０から容易に外されるのを防止する構造としてもよい。
そして、上記切り欠き係合部４１５は、後述の第２係合部４３３とでもって、第１係合部４１４の抜け出し防止の規制機構４４０を構成する。前記ブラケット４１３（約２ｍｍ厚の鋼板）には、前記支持体４１２に枢支連結される一枚の支持板からなる支持部４１３ａが形成されており、その支持部４１３ａは、ブラケット本体部から直角に折り曲げられて側面視で門型に形成されている。
【００７９】
更に、前記ブラケット４１３の本体部の両側部から、前記支持部４１３ａとは反対側に向けて、第３連結封止部を構成する取り付け板４１６が延設され、且つ、その後にブラケット本体部と平行になるように曲折されており、その取り付け板４１６に２個一対のネジ孔（後述の連結台座部材４３０と基板ケース２０１に対する）が形成されている（ネジ孔ではあるがネジ切りはされていない）。この取り付け板４１６の長さは、後述の有底のネジ止め凹部を有する突起体４３２ｂの位置に対応する長さとされている。この取り付け板４１６が、第３連結封止部を構成する。即ち、前記開閉機構４１０の他端側に第３連結封止部を備え、該第３連結封止部が、後述の連結台座部材４３０の挿入部４３４に前記開閉機構４１０の他端側が挿入されて第１係合部４１４が第２係合部４３３に係合された状態で、第１連結封止部４５０と第２連封止部４３２との間に位置され、これら第１乃至第３連結封止部４５０，４３２が対応位置にある状態で連結されることにより、更に第３連結封止部４１６によっても前記開閉機構４１０と、前記連結台座部材４３０及び前記基板ケース２０１が連結されて，万一、第１係合部４１４と第２係合部４３３との係合が不正に解除されても、基板ケース２０１を開閉機構４１０から取り外すことができないようにするためである。
尚、前記基板ケース２０１は、既述の通り、第１封止部７１を備える第１ケース７０と第２封止部８６を備える第２ケース８５を有し、主に第１ケース７０の内部に遊技を制御する制御基板を収容する構成のものである。
【００８０】
次に、図１０乃至１４に基づいて、連結台座部材４３０について述べる。
この連結台座部材４３０は、前記開閉機構４１０と前記基板ケース２１０とにそれぞれ連結されるものであり、言わば従来から用いられていた基板ケース２０１を取り付けるための台座に相当するものであって、合成樹脂で成型されており、ここでは、幅は、前記基板ケース２０１の幅と実質的に同じ幅（約１５０ｍｍ）で、長さが約４８ｍｍ（基板ケースの長手方向に向かう長さ）、厚みが１３ｍｍ、肉厚は、２ｍｍのものであり、基板ケース２０１の第２ケース８５の側面に接当する側が開放され、リブが多数設けられ、破断ネジ４３９を収容する収容部４３１が、ここでは３個形成されており、そこに破断ネジ４３９がそれぞれ１本づつセットされているが、周壁、リブの端面は同じレベルに形成され、第２ケース８５の側面に密着接当可能にされており、反対側の側面（遊技盤３０側）は、平坦に形成されている。
【００８１】
前記基板ケース２０１のうち、前記連結台座部材４３０と連結封止される部位である第１連結封止部４５０が、その第２ケース８５の端部に設けられており、ここでは該基板ケース２０１の幅方向に、所定の間隔を隔てて４個突設されている。この第１連結封止部４５０は、第１ケース７０の第１封止部７１と第２ケース８５の第２封止部８６との位置と平面視で位相がずれるように変位して配置されており、従って、基板ケース２０１を背面（遊技機の背面から）から見たときに、前記第１封止部７１と第２封止部８６に重なることなく、視認できる状態にある。
即ち、前記第１封止部７１と第２封止部８６の位置する側に前記第１連結封止部４５０及び第２連結封止部４３２が配置され、且つ、前記基板ケース２０１の背面視（正面）において、前記第１、及び第２連結封止部４５０、４３２が見えるように前記第１、及び第２封止部７１、８６と平面位相をずらせて配置されているのである。
【００８２】
そして、前記連結台座部材４３０には、前記基板ケース２０１の前記第１連結封止部４５０と連結封止される部位である第２連結封止部４３２が、ここでは、４個が、前記４個の第１連結封止部４５０と対応する位置に突設されている。この１個の第２連結封止部４３２の構造は、この連結台座部材４３０の本体に繋がるリブに、有底のネジ止め凹部を有する突起体４３２ｂが一体成型されており、そのリブの底面と有底部分の底面は面一で、且つ、前記収容部４３１のリブ及び周壁のレベルと面一とされている。
そして、前記第１、及び第２連結封止部４５０、４３２は、破断ネジ４３９（頭部が千切れる）を用いて連結封止される。
【００８３】
前記連結台座部材４３０の内部に、前記開閉機構４１０の前記第１係合部４１４と係合する部位である第２係合部４３３が設けられる。この第２係合部４３３は、この実施例では、前記連結台座部材４３０の本体とは別体成型の後述する第２被覆部材４３０Ｂに取り付けられる。勿論、別体の第２被覆部材４３０Ｂが存在せず、第２係合部４３３が連結台座部材４３０の樹脂成型時に埋め込まれたり、或いは、それ自体の弾性変形を利用して、連結台座部材４３０に形成された挿入部４３４の内部に挿入設置されるように構成されてもよいものである。
【００８４】
前記第２係合部４３３は、ここでは、弾性を備えた一枚の薄い板体（鋼板）で構成され、その所定箇所をコの字に打ち抜いて舌片４３３ａを形成し、該舌片４３３ａをコの字の付け根部で曲げることで弾性係合爪を形成し、且つ、前記第１係合部４１４を金属製の平板状体で構成し、そこに切り欠き係合部４１５を形成することによって、該切り欠き係合部４１５に前記舌片４３３ａの係合爪を係合させることによって、抜け出し防止の規制機構４４０を構成しているのである。そして、前記開閉機構４１０の前記第１係合部４１４を挿入して前記連結台座部材４３０の内部の前記第２係合部４３３に係合させるために前記連結台座部材４３０に、挿入部４３４が形成されている。
【００８５】
このように、前記規制機構４４０は、前記第１係合部４１４と前記第２係合部４３３との係合において、前記開閉機構４１０の第１係合部４１４が前記挿入部４３４に挿入されて前記第２係合部４３３と係合されたあとにその挿入方向とは逆の抜き出す方向への移動を規制するものである。
【００８６】
ここで、更に、前記連結台座部材４３０について詳述言する。前記第２係合部４３３を被覆するべく前記連結台座部材４３０には、第１被覆部材４３０Ａと第２被覆部材４３０Ｂが備えられている。第１被覆部材４３０Ａが前記連結台座部材４３０に一体形成されたもので、第２被覆部材４３０Ｂは、前記連結台座部材４３０に組み合わせるよう別体構成とされ、且つ、その少なくとも一方、ここでは第１被覆部材４３０Ａに凹面が形成され、他方、即ち、第２被覆部材４３０Ｂに対向するよう組み合わせることで前記第１係合部を挿入するための前記挿入部４３４を形成している。具体的には、前記挿入部４３４は、その入口４３４Ａが、入口側から内部に向かって幅狭となるようにテーパ状に形成され、且つ、挿入方向に沿って複数、ここでは４本の案内リブ４３４Ｂが形成されている。
【００８７】
そして、この第２被覆部材４３０Ｂに、前記第２係合部４３３が設けられるが、その第２係合部４３３の薄板を、第２被覆部材４３０Ｂに形成した係止突片４３０Ｃに、その入口４３４Ａの側からスライド挿入して係止させ、且つ、ネジ止めされる。
前記第２被覆部材４３０Ｂは、前記第１被覆部材４３０Ａよりも小さく構成され、前記連結台座部材４３０と前記基板ケース２０１とが連結した状態においては、前記第２被覆部材４３０Ｂの取り外し方向側に前記基板ケース２０１が位置された状態となり、前記基板ケース２０１と前記第１被覆部材４３０Ａとにより被覆された状態となるように構成されているものである。
また、前記連結台座部材４３０は、前記基板ケース２０１よりも小さく構成され、前記基板ケース２０１のうち、基板裏面側で一端側に寄せて連結されるように構成されているものである。
【００８８】
更に、上述した通り、前記第１及び第２被覆部材４３０Ａ、４３０Ｂを透明樹脂により成型し、これらに被覆される第２係合部４３３を金属製の係合部材により構成してある。
前記基板ケースの側面に、係止リブ４２０、４２０、４２０が前記連結台座部材４３０の略周部に沿って配置されて突出するように備えられ、該係止リブ４２０、４２０、４２０に所定の方向、即ち、基板ケース２０１の裏面に沿って第１、第２連結封止部や第１連結部の位置する側から基板ケース２０１の中央側に向けてスライド移動させることによって、係合するリブ係合部４３５が前記連結台座部材４３０の側部に設けられると共にその一つの係止リブ４２０が、前記連結台座部材４３０の収容部４３１の周壁の内側に形成されたリブ係合部４３６に係合するように設けられている。
【００８９】
前述の別体構成の前記第２被覆部材４３０Ｂの両側部にカム面を備えた係合片４３０Ｄ、４３０Ｄが突設され、前記連結台座部材４３０の内部に前記係合片４３０Ｄ、４３０Ｄに係合する門型の係合部４３０Ｅ、４３０Ｅがそれぞれ設けられ、前記第２被覆部材４３０Ｂを前記連結台座部材４３０に対して押し付けることで前記カム面作用により前記係合部４３０Ｄ、４３０Ｄの素材の弾性変形を利用して門型の係合部４３０Ｅ、４３０Ｅへの係合が行われるように構成されている。
【００９０】
（開閉機構の一部変形例）
上記開閉機構４１０の他端側である第２部材、第１、第２連結封止部４５０,４３２を、破断ネジで連結させてもよい。
例えば、製造時において開閉機構端部を連結台座部材挿入口に挿入して連結する操作に際し、第１、第２連結封止部の間に、前記開閉機構４１０の他端側である第２部材の一部が入り込む（挟まれる）ように構成されており、次回以降の連結封止では、これら３部品を一つの破断ネジで留めるようにする。この開閉機構４１０の他端側である第２部材は、第３連結封止部を構成するもので、前記ブラケット４１３の本体部の両側部から、前記支持部４１３ａとは反対側に向けて延設され、且つ、その後にブラケット本体部と平行になるように曲折された細幅の取り付け板４１６からなり、その取り付け板４１６に２個一対のネジ孔（後述の連結台座部材４３０と基板ケース２０１に対する）が形成されている（ネジ孔ではあるがネジ切りはされていない）。
また、第１連結封止部４５０に形成された切断部４５０Ａ（図８他参照）を切断して、破断ネジは第２連結封止部及び第２部材に残すようにすれば連結封止を解除できる。
更に、別の変形例として、第１、第２連結部の両方に切断部を形成し、破断ネジを第２部材に残すようにしてもよい。
【００９１】
（第２係合部の一部変形例）
上述した前記第２係合部の一部変形例として、この部材を、弾性を備えた板金で構成し、その所定箇所をコの字に打ち抜いて舌片を形成し、該舌片をコの字の付け根部で曲げることで弾性係合爪を形成し、且つ、前記第１係合部を金属製の平板状体で構成し、該平板状体に前記舌片に係合する切り欠き係合部を形成して前記係合爪の係合を可能にし、更に、前記挿入部の内部への挿入によって前記連結台座部材に係合させるように、前記第２係合部の板金の一部を変形させて構成した弾性係合片を備えてあることを特徴とする。
【００９２】
（作用）
本発明においては、遊技機に取り付けられた基板ケース２０１が遊技盤３０の裏面に対して開閉することにより、遊技盤裏面の設置物に対しての検査、メンテナンスが容易に行い得るのである。
そして、封止部により封止されることにより、制御基板に対して不正な改変を行ったり、不正品に交換されることを防止でき、また、第１、第２連結封止部４５０、４３２により連結封止することによって、基板ケース２０１を不正品に交換されることを防止できる。
更に、連結台座部材４３０に対して開閉機構４１０を簡単な操作により装着できるので、作業性が向上するのであり、そして、第１係合部４１４と第２係合部４３３とを一度係合させるとその解除が規制機構４４０によって規制され、係合部分は被覆されているので、連結状態の基板ケース２０１、開閉機構４１０ごと不正に持ち去ることを防止できるのである。
【００９３】
次に、第１被覆部材４３０Ａが前記連結台座部材４３０に一体形成されるのに対し、第２被覆部材４３０Ｂが前記連結台座部材４３０に組み合わせるよう別体構成とされることで、第２係合部４３３を被覆することを行い得ながら、第２係合部４３３を第２被覆部材４３０Ｂに備えておいて、これを後に組み合わせるという作業で、この、第２係合部を４３３前記連結台座部材４３０の内部に備えることができる。
【００９４】
また、前記連結台座部材４３０と前記基板ケース２０１とが連結した状態においては、第２被覆部材４３０Ｂが前記基板ケース２０１の側に位置して、前記第１被覆部材４３０Ａとで挟まれた状態となって第２係合部の４３３の被覆が行われ、その被覆が容易に外れない。
【００９５】
更に、連結台座部材４３０は、前記基板ケース２０１よりも小さく構成され、前記基板ケース２０１のうち、基板裏面側で一端側に寄せて連結される構成であるので、従来のような基板ケース２０１と同等の大型の台座を必要とすることがない状態で、その基板ケース２０１の開閉を行い得るのである。
【００９６】
更に、前記第１及び第２被覆部材４３０Ａ、４３０Ｂを透明樹脂により成型し、これらに被覆される第２係合部４３３を金属製の係合部材により構成してあることで、第１係合部４１４と第２係合部４３３の係合状態が確実におこなわれているかどうか外部から視認でき、また、強固な係合がされていることが視認されることで、安易な取り外しが行われないようにすることができる。
【００９７】
また、前記第２係合部４３３を板金で構成してその一部を変形させることで第１係合部４１４に対する係合を行う構成であるので、極めて構造が簡単であり、同時に、係合状態の解除が容易に行われないものである。
【００９８】
更に、挿入部４３４の入口をテーパ状として、且つ、案内リブ４３５を設けることで、第１係合部４１４の挿入を容易にすることができると共に内部への侵入がガイドされてスムースに行い得るのである。
【００９９】
また、第１ケース７０の前記第１封止部７１と第２ケース８５の第２封止部８６の位置する側に前記第１連結封止部４５０及び第２連結封止部４３２が配置されるものの、前記第１、及び第２連結封止部４５０、４３２が見えるように前記第１、及び第２封止部と平面位相をずらせて配置されていることで、前記第１、及び第２連結封止部４５０、４３２が前記基板ケース２０１の背面視（正面）において、視認可能となり、前記第１、及び第２連結封止部４５０、４３２が不正に解除されているかどうか容易に分かるのである。
【０１００】
また、基板ケース２０１の側面に、係止リブ４２０を突出するように設け、前記連結台座部材４３０を係止させて位置決めすることができ、その後の前記第１連結封止部４５０及び第２連結封止部４３２の連結が行い易いのである。
【０１０１】
更に、前記第２被覆部材４３０Ｂを連結台座部材４３０に取り付けるに、第２被覆部材４３０Ｂのカム面を備えた係合片４３０Ｄと、連結台座部材４３０の前記係合片４３０Ｄに係合する係合部４３０Ｅの存在によって、第２被覆部材４３０Ｂを連結台座部材４３０に向けて押圧するだけで、素材の弾性変形でもって係合が行われることになり、簡単に組み付けができる。
【０１０２】
また、連結台座部材４３０に、破断ネジ４３９を収容する収容部４３１を設けることで、基板ケース２０１の定期検査等で封止と解いた後に、そこから破断ネジ４３９をとり出して、再び新たな第１連結封止部４５０と第２連結封止部４３２との封止を行うことができる。
【産業上の利用可能性】
【０１０３】
本発明は、基板ケース備え、基板ケースを開閉する機能を備えた遊技機であれば、適宜実施可能であり、その適用範囲は広いものである。
【図面の簡単な説明】
【０１０４】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の遊技盤の正面図である。
【図６】本発明にかかる遊技機の一例であるパチンコ機の背面図である。
【図７】本発明にかかる遊技機の一例であるパチンコ機のセット板を開いた背面の斜視図である。
【図８】本発明にかかる遊技機の一例であるパチンコ機の遊技盤の裏面の斜視図である。
【図９】本発明にかかる遊技機の一例であるパチンコ機の遊技盤の裏面の基板ケースを外した状態の斜視図である。
【図１０】本発明にかかる遊技機の一例であるパチンコ機の遊技盤の裏面の基板ケースを外し、連結台座部材を外した状態の斜視図である。
【図１１】本発明にかかる遊技機の一例であるパチンコ機の遊技盤の裏面の基板ケースを外し、一部を分解した状態の斜視図である。
【図１２】本発明にかかる遊技機の一例であるパチンコ機の基板ケースから連結台座部材を外した状態の分解斜視図である。
【図１３】本発明にかかる遊技機の一例であるパチンコ機の基板ケースに連結台座部材を取り付けた状態の斜視図である。
【図１４】本発明にかかる遊技機の一例であるパチンコ機の遊技盤から球集合板、開閉機構、連結台座部材を取り付けた基板ケースを分離した状態の分解斜視図である。
【図１５】本発明にかかる遊技機の一例であるパチンコ機の遊技盤から開閉機構、連結台座部材を取り付けた基板ケースを分離した状態の分解斜視図である。
【図１６】本発明にかかる遊技機の一例であるパチンコ機の遊技盤、開閉機構、連結台座部材を取り付けた基板ケースの側面視である。
【符号の説明】
【０１０５】
４１０：開閉機構
４１１：軸
４１４：第１係合部
４３０：連結台座部材
４３１：収容部
４３２：第２連結封止部
４３３：第２係合部
４３４：挿入部
４３９：破断ネジ
４４０：規制機構
４５０：第１連結封止部
４６０：球集合板
【図１】
2008067861.tif 000003
【図２】
2008067861.tif 000004
【図３】
2008067861.tif 000005
【図４】
2008067861.tif 000006
【図５】
2008067861.tif 000007
【図６】
2008067861.tif 000008
【図７】
2008067861.tif 000009
【図８】
2008067861.tif 000010
【図９】
2008067861.tif 000011
【図１０】
2008067861.tif 000012
【図１１】
2008067861.tif 000013
【図１２】
2008067861.tif 000014
【図１３】
2008067861.tif 000015
【図１４】
2008067861.tif 000016
【図１５】
2008067861.tif 000017
【図１６】
2008067861.tif 000018